(57)【要約】【課題】複数段の同調回路を有するチューナにおいて、各バラクタダイオードの特性や浮遊容量のばらつきにかかわらず、各バラクタダイオードに最適な選局電圧を与える。【解決手段】アンテナ同調回路１の調整を行うために、周波数発生部２０は最初のチャンネル周波数のＲＦ信号を発生し、チューナ１０に供給する。またバラクタダイオードＤ１　に制御電圧ＶＡ　を与えて調整する。ピークデテクタ５０がアンテナ同調回路１の出力ＴＰＡが最大になったことを検出すると、そのときのＶＡの値が選局電圧メモリ６０に記憶される。次に複同調回路４の調整を行うために、制御電圧ＶＲ１をバラクタダイオードＤ２　に与え、制御電圧ＶＲ２をバラクタダイオードＤ３　に与えて調整を行う。複同調回路４の出力ＴＰＲが最大となったことが検出されると、そのときのＶＲ１、ＶＲ２の値が選局電圧メモリ６０に記憶される。以上の動作を全てのチャンネルについて繰り返す。【選択図】　　　　図１
2004064551.tif 000002
【特許請求の範囲】
【請求項１】
それぞれ所定の帯域幅を有すると共に可変容量素子を有する複数の同調回路が多段接続されたチューナの各同調回路に対する選局電圧を設定するチューナの選局電圧設定システムであって、
複数のチャンネル周波数の入力信号を発生して前記チューナに供給する周波数発生手段と、
各同調回路の可変容量素子を個別に制御する制御電圧を発生する制御電圧発生手段と、
前記周波数発生手段から１つのチャンネル周波数の入力信号をチューナに供給した状態で、１つの同調回路の可変容量素子に対して前記制御電圧発生手段から制御電圧を与えて調整するときその同調回路の出力電圧が最大となったときの制御電圧の値を検出する検出手段と、
前記検出手段の前記検出動作を全てのチャンネル周波数及び全ての同調回路の可変容量素子についてそれぞれ実行するために前記周波数発生手段、制御電圧発生手段及び検出手段を制御する制御手段と、
前記検出手段で検出された全ての制御電圧の値を各チャンネル毎に各可変容量素子に与える選局電圧として記憶する記憶手段とを設けたことを特徴とするチューナの選局電圧設定システム。
【請求項２】
前記複数の同調回路の少なくとも１つに可変容量素子を含む妨害波トラップ回路を設けると共に、その可変容量素子に対して前記制御電圧を与え、前記検出手段は、前記妨害波トラップ回路の出力電圧が最小となったときの制御電圧の値を検出し、前記記憶手段に記憶させることを特徴とする請求項１記載のチューナの選局電圧設定システム。
【請求項３】
それぞれ所定の帯域幅を有すると共に可変容量素子を有する複数の同調回路が多段接続されたチューナにおいて、
各同調回路の可変容量素子を個別に制御する選局電圧をチャンネル毎に記憶する記憶手段と、
前記記憶手段に記憶された選局電圧を読み出して対応する可変容量素子に与える選局電圧設定手段とを設けたことを特徴とするチューナ。
【請求項４】
前記複数の同調回路の少なくとも１つに可変容量素子を含む妨害波トラップ回路を設け、前記記憶手段は妨害波トラップ回路の可変容量素子に対する選局電圧を記憶し、これを前記選局電圧設定手段が読み出して対応する可変容量素子に与えることを特徴とする請求項３記載のチューナ。
【請求項５】
それぞれ所定の帯域幅を有すると共に可変容量素子を有する複数の同調回路が多段接続されたチューナの各同調回路に対する選局電圧を設定するチューナの選局電圧設定方法であって、
１つのチャンネル周波数の入力信号をチューナに供給した状態で、１つの同調回路の可変容量素子に制御電圧を与えて調整し、そのときの同調回路の出力電圧が最大となったときの制御電圧の値を検出する検出動作を、全てのチャンネル周波数及び全ての同調回路の可変容量素子についてそれぞれ実行し、検出された全ての制御電圧の値を各チャンネル毎に各可変容量素子に与える選局電圧として記憶することを特徴とするチューナの選局電圧設定方法。
【請求項６】
前記複数の同調回路の少なくとも１つに可変容量素子を含む妨害波トラップ回路を設けると共に、その可変容量素子に対して前記制御電圧を与えた状態で前記妨害波トラップ回路の出力電圧が最小となったときの制御電圧の値を検出し、記憶することを特徴とする請求項５記載のチューナの選局電圧設定方法。
【発明の詳細な説明】
【０００１】
【発明の属する技術分野】
本発明は、テレビ、ＦＭ方放送等のＶＨＦ帯の受信機におけるチューナに用いて好適なチューナの選局電圧設定システム、方法及びチューナに関するものである。
【０００２】
【従来の技術】
図６は従来のテレビ受信機におけるチューナを示す回路図である。
図６において、１はアンテナ同調回路で、可変容量素子としてのバラクタダイオードＤ１　、コンデンサＣ１　、コイルＬ１　で構成されている。２は同調回路で、バラクタダイオードＤ２　、コンデンサＣ２　、コイルＬ２　で構成されている。３は同調回路で、バラクタダイオードＤ３　、コンデンサＣ３　、コイルＬ３　で構成されている。２つの同調回路２、３は電磁的に結合して複同調回路４を構成している。５は選局電圧（チャンネル指定電圧、チューニング電圧）Ｖｔｕの入力端子である。
【０００３】
この選局電圧Ｖｔｕは抵抗Ｒ１　を介して同調回路１に与えられ、バラクタダイオードＤ１　の容量を各チャンネル毎に制御するようになされている。同様に選局電圧Ｖｔｕは、抵抗Ｒ２　、Ｒ３　を介して同調回路２、３に印加され、バラクタダイオードＤ２　、Ｄ３　の容量をそれぞれ各チャンネル毎に制御するようになされている。
尚、図においては、アンテナ同調回路１と複同調回路４との間の高周波増幅回路、及び同調回路３の後段の中間周波数変換回路等は図示を省略されている。
【０００４】
【発明が解決しようとする課題】
図６に示す従来のチューナにおいては、各同調回路１、２、３におけるバラクタダイオードＤ１　、Ｄ２　、Ｄ３　の容量を、入力端子５から与えられる共通の選局電圧Ｖｔｕにより各チャンネル毎に制御するようにしている。
しかしながら、実際のバラクタダイオードには特性のばらつきがあり、また周囲の浮遊容量のばらつきもある。このため、各バラクタダイオードＤ１　、Ｄ２　、Ｄ３　に同じ選局電圧を加えても同じ容量変化が得られず、同調精度が低下するという問題があった。
【０００５】
本発明は上記の問題を解決するためになされたもので、各同調回路のバラクタダイオードに対する選局電圧を最適に設定できるようにすることを目的としている。
【０００６】
【課題を解決するための手段】
上記の目的を達成するために、本発明によるチューナの選局電圧設定システムは、それぞれ所定の帯域幅を有すると共に可変容量素子を有する複数の同調回路が多段接続されたチューナの各同調回路に対する選局電圧を設定するチューナの選局電圧設定システムであって、複数のチャンネル周波数の入力信号を発生して前記チューナに供給する周波数発生手段と、各同調回路の可変容量素子を個別に制御する制御電圧を発生する制御電圧発生手段と、前記周波数発生手段から１つのチャンネル周波数の入力信号をチューナに供給した状態で、１つの同調回路の可変容量素子に対して前記制御電圧発生手段から制御電圧を与えて調整するときその同調回路の出力電圧が最大となったときの制御電圧の値を検出する検出手段と、前記検出手段の前記検出動作を全てのチャンネル周波数及び全ての同調回路の可変容量素子についてそれぞれ実行するために前記周波数発生手段、制御電圧発生手段及び検出手段を制御する制御手段と、前記検出手段で検出された全ての制御電圧の値を各チャンネル毎に各可変容量素子に与える選局電圧として記憶する記憶手段とを設けたことを特徴とするものである。
【０００７】
また、本発明によるチューナは、それぞれ所定の帯域幅を有すると共に可変容量素子を有する複数の同調回路が多段接続されたチューナにおいて、各同調回路の可変容量素子を個別に制御する選局電圧をチャンネル毎に記憶する記憶手段と、前記記憶手段に記憶された選局電圧を読み出して対応する可変容量素子に与える選局電圧設定手段とを設けたことを特徴とするものである。
【０００８】
また、本発明によるチューナの選局電圧設定方法は、それぞれ所定の帯域幅を有すると共に可変容量素子を有する複数の同調回路が多段接続されたチューナの各同調回路に対する選局電圧を設定するチューナの選局電圧設定方法であって、１つのチャンネル周波数の入力信号をチューナに供給した状態で、１つの同調回路の可変容量素子に制御電圧を与えて調整し、そのときの同調回路の出力電圧が最大となったときの制御電圧の値を検出する検出動作を、全てのチャンネル周波数及び全ての同調回路の可変容量素子についてそれぞれ実行し、検出された全ての制御電圧の値を各チャンネル毎に各可変容量素子に与える選局電圧として記憶することを特徴とするものである。
【０００９】
【作用】
従って、本発明によれば、１つのチャンネル周波数の入力信号をチューナに供給した状態で、１つの同調回路の可変容量素子に制御電圧を与えて調整し、そのときに得られるその同調回路の出力電圧が最大となったときの制御電圧の値を検出すると共に、この検出動作を、全てのチャンネル周波数及び全ての同調回路の可変容量素子についてそれぞれ実行することにより、検出された全ての制御電圧の値を各チャンネル毎に各可変容量素子に与える最適な選局電圧とすることができる。
【００１０】
【発明の実施の形態】
以下、本発明の実施の形態を図面を参照して説明する。
図１は本発明の第１の実施の形態によるチューナの選局電圧設定システムを示すブロック図であり、図６と対応する部分には同一番号を付して重複する説明は省略する。
【００１１】
図１において、１０はチューナで、前述したアンテナ同調回路１及び複同調回路４を構成する同調回路２、３を備えている。２０はチャンネル周波数発生部で、例えば１〜１２チャンネルの各搬送波周波数のＲＦ入力信号をチューナ１０のアンテナ端子に供給する。３０はコントローラで、周波数発生部２０の出力周波数を制御すると共に、チューナ１０の各同調回路１、２、３における各バラクタダイオードＤ１　、Ｄ２　、Ｄ３　に対して個別に制御電圧ＶＡ　、ＶＲ１、ＶＲ２を与えて各容量を制御する。
【００１２】
４０はアンテナ同調回路１の出力ＴＰＡ又は複同調回路４の出力ＴＰＲを選択するスイッチ、５０は選択された出力ＴＰＡ又はＴＰＲの最大値を検出してコントローラ３０に通知するピークデテクタである。６０は各バラクタダイオード毎の選局電圧を記憶する選局電圧メモリである。尚、上記ＴＰＡはアンテナ同調回路１から抵抗Ｒ３　を介して取り出され、上記ＴＰＲは同調回路３から抵抗Ｒ４　を介して取り出される。また、周波数発生部２０からのＲＦ入力信号は、カップリングコンデンサＣを介してアンテナ同調回路１に入力される。
【００１３】
次に、上記構成による動作について説明する。
ここでは、ａチャンネルからｎチャンネルまでの１チャンネルずつについて、アンテナ同調回路１及び複同調回路４を順次調整する。このために制御電圧ＶＡ、ＶＲ１、ＶＲ２を各バラクタダイオードＤ１　、Ｄ２　、Ｄ３　に個別に与えて調整し、各同調回路１、４から最大値が得られたときの制御電圧の値を選局電圧として選局電圧メモリ６０に格納するものとする。
【００１４】
また、アンテナ同調回路１は、図２（ａ）のようにあるチャンネルにおいて、映像信号の帯域と音声信号の帯域とを含む中心周波数（同調周波数）ｆ０　の所定の帯域幅を持つように設計されている。また複同調回路４は、図２（ｂ）のようにあるチャンネルにおいて、映像搬送波周波数ｆｐ　と音声搬送波周波数ｆｓ　の各帯域を含む部分で平坦な特性を有する中心周波数ｆ０　の所定の帯域幅を持つように設計されている。
【００１５】
次に、図３のフローチャートを参照して動作を説明する。
まず、アンテナ同調回路１の調整を行う。コントローラ３０はスイッチ４０をＴＰＡ側に設定すると共に、周波数発生部２０を制御して、最初のａチャンネルの周波数のＲＦ入力信号を発生させ、チューナ１０に供給する（ステップＳ１、以下ステップ略）。次にコントローラ３０は、アンテナ同調回路１のバラクタダイオードＤ１　に制御電圧ＶＡ　を与える（Ｓ２）。このＶＡ　を変化させるとアンテナ同調回路１の出力ＴＰＡが変化する。このＴＰＡが最大になったことがピークデテクタ５０により検出されると（Ｓ３）、コントローラ３０はそのときのＶＡ　の値を取り込んで選局電圧メモリ６０に記憶する（Ｓ４）。
【００１６】
次に、複同調回路４の調整を行う。コントローラ３０はスイッチ４０をＴＰＲ側に切り換えた後、制御電圧ＶＲ１をバラクタダイオードＤ２　に与え、制御電圧ＶＲ２をバラクタダイオードＤ３　に与える（Ｓ５）。このＶＲ１、ＶＲ２を変化させると複同調回路４の出力ＴＰＲが変化する。このＴＰＲが最大になったことがピークデテクタ５０により検出されると（Ｓ６）、コントローラ３０はそのときのＶＲ１、ＶＲ２の値を取り込んで選局電圧メモリ６０に記憶する（Ｓ７）。
【００１７】
次に、全てのチャンネルについての調整が終了したかを調べ（Ｓ８）、終了していなければ、コントローラ３０は周波数発生部２０から次のチャンネルの周波数のＲＦ入力信号を発生させ（Ｓ９）、チューナ１０に供給する。その後、Ｓ２〜Ｓ９の動作が繰り返され、全てのチャンネルについて調整を行ったら終了とする。
【００１８】
この結果、選局電圧メモリ６０には、各チャンネルについて、各同調回路１、４の出力ＴＰＡ、ＴＰＲが最大になったときの制御電圧ＶＡ　、ＶＲ１、ＶＲ２の値が格納される。これらの値は、チューナ１０が実際に用いられる際に、選局電圧として各バラクタダイオードＤ１　、Ｄ２　、Ｄ３　に与えられる。
【００１９】
図４は選局電圧メモリ６０を用いたチューナ１０の実施の形態を示す。
図示のように、選局電圧設定部７０は、選局信号（チャンネル指定信号）に基づいて選局電圧メモリ６０から対応する選局電圧ＶＡ　、ＶＲ１、ＶＲ２を読み出して各同調回路１、２、３のバラクタダイオードＤ１　、Ｄ２　、Ｄ３　に与える。これにより各同調回路１、２、３においては、バラクタダイオードＤ１　、Ｄ２　、Ｄ３　の特性のばらつきや周辺の浮遊容量のばらつき等にかかわらず、各チャンネルにおいて設計通りの同調周波数と帯域幅を以って略理想的な同調動作を行うことができる。
【００２０】
図５は本発明の第２の実施の形態を示すチューナ部分の構成図であり、図１と対応する部分には同一番号を付して重複する説明は省略する。
本実施の形態は、図１のアンテナ同調回路１に妨害波トラップ回路６を追加したものである。妨害波トラップ回路６は、図示のようにバラクタダイオードＤ４、コンデンサＣ４　、コイルＬ４　等で構成されている。また、コントローラ３０からバラクタダイオードＤ４　の制御電圧ＶＴＲを与えられると共に、抵抗Ｒ５　を介して出力電圧ＴＴＲを得、スイッチ４０に入力するように構成されている。図２（ｃ）に妨害波トラップ回路６の特性を示す。
【００２１】
本実施の形態においては、チャンネル毎にバラクタダイオードＤ４　に制御電圧ＶＴＲを与えて調整し、図２（ｃ）に示すように所定周波数ｆｑ　において出力電圧ＴＴＲが最小となったときのＶＴＲの値を選局電圧メモリ６０に記憶させる。
また、本実施の形態を図４のチューナに適用する場合は、選局電圧メモリ６０に記憶されたＶＴＲの値が選局電圧として妨害波トラップ回路６のバラクタダイオードＤ４　に与えられることになる。
【００２２】
尚、前述した各実施の形態においては、本発明をテレビ受信機のチューナに適用した場合について説明したが、本発明はその他にＦＭ受信機等の複数の同調回路を多段接続したチューナに適用して有効である。
【００２３】
【発明の効果】
以上説明したように本発明によれば、各チャンネルにおいて最適な選局電圧を設定することができ、従って、複数の同調回路におけるバラクタダイオード等の可変容量素子の特性のばらつきや周辺の浮遊容量のばらつき等にかかわらず、設計通りの同調周波数と帯域幅を以って略理想的な同調動作を行うことができるチューナを実現することができる。
【図面の簡単な説明】
【図１】本発明の第１の実施の形態によるチューナの選局電圧設定システムを示す回路図である。
【図２】チューナの各同調回路の特性図である。
【図３】本発明の第１の実施の形態による動作を示すフローチャートである。
【図４】選局電圧メモリを用いたチューナの実施の形態を示す回路図である。
【図５】本発明の第２の実施の形態によるチューナの選局電圧設定システムを示す回路図である。
【図６】従来のチューナを示す回路図である。
【符号の説明】
１　アンテナ同調回路
２、３　同調回路
４　複同調回路
６　妨害波トラップ回路
１０　チューナ
２０　周波数発生部
３０　コントローラ
４０　スイッチ
５０　ピークデテクタ
６０　選局電圧メモリ
７０　選局電圧設定部
Ｄ１　、Ｄ２　、Ｄ３　、Ｄ４　　バラクタダイオード
ＶＡ　、ＶＲ１、ＶＲ２、ＶＴＲ　制御電圧
ＴＰＡ、ＴＰＲ　同調回路の出力電圧
ＴＴＲ　妨害波トラップ回路の出力電圧
【図１】
2004064551.tif 000003
【図２】
2004064551.tif 000004
【図３】
2004064551.tif 000005
【図４】
2004064551.tif 000006
【図５】
2004064551.tif 000007
【図６】
2004064551.tif 000008